(57)【要約】      （修正有）【課題】鮮度の長期間保持や錆び発生防止機能などを付与する物質の帯電荷装置に関する。【解決手段】物質の帯電荷装置は物質が容易に負に帯電すべく帯電荷電極とこの電極に印加する交流高電位を発生させる装置とからなり、中位の高電位５０Ｈｚ３５００Ｖでも有効に容易に物質を負に帯電荷させることが出来る特徴を有している。これは帯電荷電極の構造構成にある。即ち強誘電体を内蔵したことにある。そして炭素埋設大地をアースとすることで接地抵抗を下げこの領域に該帯電荷装置を置き作動させることでより有効に本考案の物質の帯電荷装置が作動することを特徴としている。物質として食材や産業部材を帯電荷電極に接触させ有効に負の印電荷させることで酸化を防止し高品質をそのまま保持することが出来る優位の特徴を有している。【選択図】図１
0003145022.tif 000002
【実用新案登録請求の範囲】
【請求項１】
交流高電位を印加する物質の帯電荷電極と、この電極を帯電荷させようとする物質に密着せしめ交流高圧高電位１００Ｖ〜３５００Ｖを印加し物質に電気分極を起こさせ帯電荷させると共に物質を通して流れる電子流を１ｍＡ以下に抑えるよう調節しうる交流高圧高電位発生装置とから構成されることを特徴とする物質の帯電荷装置
【請求項２】
帯電荷電極は導電性の金属または炭素などからなる突起付の棒状または板状の芯電極板材料にポリフッ化ビニリデンやポリエンカビニリデンなど強誘電体材料で被覆しさらにその上に導電性の炭素材料で被覆しさらにその上に密着するようステンレス材で被覆外装して構成されたる棒状または平板状の帯電荷電極からなることを特徴とする請求項１記載の物質の帯電荷装置
【請求項３】
物質の帯電荷装置において交流高電位が印加される帯電荷電極の芯電極とステンレス被覆外装との間のインピーダンスは１メグオーム〜５メグオームの電気的高抵抗に調製されることを特徴とする請求項１記載の物質の帯電荷電極装置
【請求項４】
交流高電位が印加される棒状帯電荷電極または板状帯電荷電極からなる物質の帯電荷装置において、棒状帯電荷電極においては物質中に密着挿入して帯電荷作用させるように、また板状帯電荷電極においてはその上に物質を密着搭載して帯電荷作用をさせるように調製し使用することを特徴とする請求項１記載の物質の帯電荷装置
【請求項５】
帯電荷電極を複数個装着し同時に作動しうることを特徴とする請求項１記載の物質の帯電荷装置
【請求項６】
電気的環境を整備するために面積１５平方メートル当り４００Ｋｇの備長炭粒子からなる炭素を直径１ｍの穴に埋設してなる炭素埋設大地上の近傍に物質の帯電荷装置を設置することを特徴とする請求項１記載の物質の帯電荷装置
【考案の詳細な説明】
【技術分野】
【０００１】  本考案は食材や産業用の部材となる物質に負の陰電荷を帯電させて酸化反応を抑制し食材にあっては長期間鮮度の保持機能、産業用部材にあっては錆び発生防止機能などを付与せしめる物質の帯電荷装置の技術分野に関するものである。
【背景技術】
【０００２】  従来、この種の物質の帯電荷装置として類似のものに静電誘導装置があるが１万ボルトの高電位を印加し物質の帯電荷を促進することで、食材の鮮度保持などに適用されてきている。このような帯電荷装置においては帯電荷させる物質は電気絶縁碍子で接地大地の０電位から絶縁された高電位の場に置かれて帯電荷されているのが通常である。
【考案の開示】
【考案が解決しようとする課題】
【０００３】  本考案の解決しようとする課題は食材や産業上の部材などの物質の帯電荷を容易に促進せしめ、かつその物質の酸化を防止しうるところの１００Ｖ〜３５００Ｖの中位の交流高圧高電位の印加条件でも有効に機能する帯電荷装置を創生することにある。しかも本考案の帯電荷装置においては帯電荷させる物質は従来のように電気絶縁碍子を介した高電位の場に置く必要が無く、いつでもどこでも物質の帯電荷を容易に実施しうるよう調製したところにある。
【課題を解決するための手段】
【０００４】  課題を解決するための手段としては請求項１から請求項６に記載の考案事項からなる。
請求項１に係わる考案に示したように本考案の物質の帯電荷装置は物質を帯電荷させるべく物質に密着接触して置かれる帯電荷電極とその帯電荷電極に交流高電位を供給するところの交流高電位発生装置１００Ｖ〜３５００Ｖとから構成される。物質は交流高電位を印加した帯電荷電極を通して電気的分極を生じ物質は負に帯電荷される。かつ物質を通して流れる微弱な電子流は負の陰電荷を付加せしめ、かつその物質の酸化を防止しうるに足る１ｍＡ以下の微少に留められる。【０００５】  請求項２に係わる考案に示したように物質の帯電荷を容易に効率よく促進するために、本考案の物質の帯電荷装置における帯電荷電極の構造構成に特徴を持たせている。即ち電極の芯材料には突起付きの棒状または板状の導電性の銅や炭素などで調製され、その上に強誘電体材料であるポリフッ化ビニリデンまたはポリエンカビニリデンなどの材料で被覆し、さらに炭素材料例えば黒鉛シート材料で被覆し、その上に密着するようステンレス３０４材で被覆外装して構成されたる棒状または板状の帯電荷電極である。この電極の機能性は交流高電位の電圧を１万ボルトなどの高圧高電位に上昇させなくても３５００Ｖの中位の交流高圧高電位で物質に負の陰電荷を有効に帯電させうるところに特徴がある。【０００６】  請求項３に係わる考案に示したように考案の物質の帯電荷装置における帯電荷電極を構成する芯電極とステンレス被覆外装との間のインビーダンスを１メグオーム〜５メグオームの電気的高抵抗に調製することで、帯電荷させようとする物質を０電位の接地大地間に対して絶縁碍子で電気的に絶縁された場に置く必要が無く、いつでもどこでもその物質の置かれる場の電気的抵抗の如何に関わらずその物質に帯電荷電極を接触させて負に帯電荷させることができるところに特徴がある。【０００７】  請求項４に係わる考案に示したように、本考案の物質の帯電荷装置におけるその構成電極の棒状の帯電荷電極は帯電荷させようとする物質例えば玄米に帯電荷させるような場合にホッパーに充填される玄米中に挿入され玄米と接蝕せしめ玄米を負に帯電荷せしめるように調製されているところに特徴がある。同じように板状の帯電荷電極においてはその板状の帯電荷電極の上に帯電荷させようとする物質例えば精米を充填した精米袋を載せその精米を負に帯電荷させ保存するような場合にその板状帯電荷電極の活用が最適である。精米袋をかさねて置いても負に帯電荷させることができるように調製されているところに特徴がある。【０００８】  請求項５に係わる考案に示したように、本考案の物質の帯電荷装置においてその帯電荷電極を複数個同時に作動させる帯電荷することができるよう調製されていることを特徴としている。【０００９】  請求項６に係わる考案に示したように６つめの手段は炭素埋設大地を用意することである。即ち該大地をアースとすべく接地抵抗を極力５オーム以下とすべく備長炭を直径１ｍの穴に約４００Ｋｇ密着投入し土をかぶせて構成させることを特徴とする。この炭素埋設大地の機能性は交流高電位発生装置のアース抵抗を下げるのみならず、空間陰電荷体の流れや電磁場の電束、磁束の流れを大地に向けて整流する特徴を有しており本考案の帯電荷装置を有効に作用せしめるよう��気的環境を整備し得るところに特徴がある。
【考案の効果】
【００１０】  本考案の物質の帯電荷装置の効果は物質に負の帯電荷を有効に帯電せしめ物質の酸化反応を抑制し品質を保持することに大きな効果を奏する。食材にあっては高鮮度や色が保持され品質を損ねない。また産業用部材では錆びを生じない。などの効果を奏する。
【考案を実施する最良の形態】
【００１１】  本考案を実施する最良の形態については下記実施例に示す。
【考案の実施例１】
【００１２】  本考案の実施例１について図１の物質の帯電荷装置１にもとづいて説明をする。即ち本考案の帯電荷装置の棒状の帯電荷電極２をホッパー１１に充填される玄米中に挿入しその玄米３を帯電荷せしめる場合の実施例について説明する。本考案の棒状帯電荷電極２は直径１ｍｍφ突起つきの長さ１ｍの銅製の棒芯電極４として、その上に囲むように強誘電材料である厚み３ｍｍのポリフッ化ビニリデン５密着被覆し、その上に囲むように厚み０．５ｍｍの黒鉛シート６を密着被覆し、さらにその上に厚み１ｍｍのステンレス３０４材７で被覆して棒状の帯電荷電極が構成調製される。その棒状帯電荷電極２はホッパー１１の中心部位に設置され、これに玄米３が２トン充填される。その棒状帯電荷電極２は玄米３と接触し、棒状帯電荷電極２には交流高圧高電位発生装置８から耐高電圧絶縁被覆導線で該電極挿入口９を通し芯電極棒４に結線され、交流高電位５０Ｈｚ３５００Ｖが印加された。この作動状態で玄米３は負に帯電荷されると共に玄米３を通して流れる微弱電子流１３は６０μＡであった。この電子流１３は玄米３を通して流れ玄米３に負の陰電荷が付加され酸化反応が抑制されるものと考えられる。一分の電子流１３は空間に存在する酸素分子や水分子や塵に付加され負の帯電荷体即ち陰イオン体１４となって炭素埋設大地１０アースに向かって流れ陽電荷と合体し中和される。炭素埋設大地１０アースの作用は上記のように空間の帯電荷体を整流し電気的外乱を起こさせず物質の帯電荷装置の安定した作動に寄与する。交流高電位発生装置８はトランス方式で入力１次コイル５０Ｈｚ１００Ｖに対し出力２次コイル５０Ｈｚ３５００Ｖに昇圧された。
２次コイルの一方のコイル端子からは交流高圧高電位が供給され片一方のコイル端子からは１メグオームの高抵抗を通して炭素埋設大地１０アース接地された。
このようにして負に帯電荷された玄米は後の精米工程への玄米の流れを円滑にさせると共に酸化反応を抑制し高品質の精米の調製に大きく貢献することがわかった。
【考案の実施例２】
【００１３】  本考案の実施例について図２の物質の帯電荷装置１にもとづいて説明する。即ち本考案の帯電荷装置の板状の帯電荷電極２上に精米入り袋３を重ねて帯電荷保管した場合の実施例について説明する。本考案の板状帯電荷電極２は１ｍｍ突起付きの寸法幅５００ｍｍ×長さ７００ｍｍ×厚み１ｍｍの銅板を芯電極４として、その上に囲むように強誘電材料である厚み３ｍｍのポリフッ化ビニリデン５で密着被覆し、その上に厚み０．５ｍｍの黒鉛シート６を密着被覆し、さらにその上に厚み１ｍｍのステンレス３０４材７で被覆して板状の該電極として構成調製される。板状帯電荷電極２には交流高電位発生装置８から耐高電圧絶縁被覆導線で該電極挿入口９を通して芯電極版に結線され、交流高電位５０Ｈｚ３５００Ｖが印加された。板状帯電荷電極２は電気的に炭素埋設大地１０アースの領域内に奥行き７００×長さ１０００×厚み２０ｍｍの通常の架台１２に置かれ、この板状帯電荷電極２の上に精米３入り袋１１を６袋重ねて保管した。この作動状態で精米は負に帯電荷されると共に精米袋１１を通して流れる微弱電子流１３は５０μＡであった。この作動状態下で電子流１３が該電極を通して精米入り袋１１を通して精米に流れ、精米には負の陰電荷が付加され酸化反応が抑制されると考えられる。一分の電子流１３は空間に存在する酸素分子や水分子や塵に付加され負の帯電荷体即ち陰イオン体１４となって炭素埋設大地１０アースに向かって流れ該炭素埋設大地１０で陽電荷と合体中和される。交流高電位発生装置８はトランス方式で入力５０Ｈｚ１００Ｖの一次コイルに対して出力２次コイルによって５０Ｈｚ３５００Ｖに上昇し２次コイルの一方のコイル端子から交流高電位が給電された。もう一方のコイル端子からは１メグオームの高抵抗を通して炭素埋設大地１０に接地された。
炭素埋設大地１０は［０００７］で記載したように調製され１５ｍ径の領域に一個の炭素埋設部位を設けた。この領域上に設置された建屋に本考案の物質の帯電荷装置１を置いた。
【００１４】  本考案の物質の帯電荷装置において板状帯電荷電極上に置かれた精米の保管効果は鮮度や水分や香りが保持され高品質がそのまま保持された。長期間保管でも高品質が保持され穀象虫も生じないことがわかった。
【００１５】  以上このように本考案の物質の帯電荷装置は飲料水の高品質化、食材の高鮮度保持、牧草や飼料や餌料の高鮮度保持、産業用部材の刃物類や切削工具類の酸化を防止し錆発生を防止するなどの効果があることがわかった。
【産業上の利用可能性】
【００１６】  本考案の物質の帯電荷装置は日常の生活分野で食材の品質保持や産業上の部材の品質保持に広い範囲で利用されてゆくと考えられる。
【図面の簡単な説明】
【００１７】
【図１】  物質の帯電荷装置と棒状帯電荷電極の概略図
【図２】  物質の帯電荷装置と板状帯電荷電極の概略図
【符号の簡単な説明】
【００１８】  １  物質の帯電荷装置
２  棒状帯電荷電極  又は板状帯電苛電極
３  玄米又は精米
４  突起付き銅板芯電極  又は突起付き棒状芯電極
５  ポリフッ化ビニリデン（強誘電体）
６  黒鉛シート
７  ステンレス３０４
８  交流高電位発生装置
９  電極挿入口（芯電極への耐高電圧絶縁被覆導線挿入口）
１０  炭素埋設大地
１１  ホッパー又は精米袋
１２  架台
１３  電子流
１４  陰イオン体
１５  負に帯電荷された玄米、又は負に帯電荷された精米
１６  耐高電圧絶縁被覆導線
１７  炭素
１８  高抵抗
【図１】
0003145022.tif 000003
【図２】
0003145022.tif 000004